(57)【要約】      （修正有）【課題】簡易な構成で、操作性・耐久性に優れた足踏み式消毒装置を提供する。【解決手段】足踏み式消毒装置１は、筒状のガイド４２に内挿されたシャフトとペダル３とベース２と載置部５と操作部６とを備える。ベースには、ペダル回転軸部２５とストッパーとが設けられている。定常位置にあるペダルの前端部を踏み込むことにより、ペダルの前端部が下方に回動すると共に後端部が上方に回動し、ペダルの後端部に連結されたシャフトが上方に移動し、操作部の押下部６４が消毒容器のポンプヘッドを押下する。また、ペダルの前端部への踏み込みを解除することにより、シャフトが自重によって下方に移動し、ペダルの後端部が下方へ回動してベースのストッパーに当接することでペダルが定常位置に戻る。【選択図】図１
0003228107.tif 000002
【実用新案登録請求の範囲】
【請求項１】
上下方向に延びる軸部と、
前記軸部の下端部に連結されたペダルと、
前記ペダルが取り付けられたベースと、
ポンプヘッドを押下してノズルから消毒液を吐出する消毒容器を載置する載置部と、
前記軸部の上端部に連結され、前記載置部に載置された消毒容器のポンプヘッドを押下する押下部を有する操作部と、を備え、
前記ベースには、前記ペダルを回動可能に支持するペダル回転軸部と、前記ペダルの回動を規制する規制部と、が設けられ、
定常位置にある前記ペダルの前端部を踏み込むことにより、前記ペダルの前端部が下方に回動すると共に前記ペダルの後端部が上方に回動し、前記ペダルの後端部に連結された前記軸部が上方に移動し、前記操作部の前記押下部が消毒容器のポンプヘッドを押下するよう構成され、
前記ペダルの前端部への踏み込みを解除することにより、前記軸部が自重によって下方に移動し、前記ペダルの後端部が下方へ回動して前記ベースの前記規制部に当接することで前記ペダルが定常位置に戻るよう構成されている、足踏み式消毒装置。
【請求項２】
前記ペダルは、定常位置において、前記ペダルの前端部が前記ペダルの後端部よりも上方に位置するように、水平方向に対して傾斜して配置されている、請求項１に記載の足踏み式消毒装置。
【請求項３】
前記ペダルは、本体板部と、前記本体板部の前端から下方に延びる前板部と、を有し、前記ベースは、前記前板部の前面を覆う前壁部を有し、定常位置における前記ペダルの前記前板部の下端位置は、前記ベースの前記前壁部の上端位置よりも下方にある、請求項１又は２に記載の足踏み式消毒装置。
【請求項４】
前記操作部は、操作回転軸部に回動可能に支持され、前記軸部が上方に移動することにより、前記軸部が連結された前記操作部の後端部が上方に回動すると共に前記操作部の前端部が下方に回動し、前記操作部の前端部に設けられた前記押下部が消毒容器のポンプヘッドを押下するよう構成されている、請求項１〜３のいずれか１項に記載の足踏み式消毒装置。
【請求項５】
前記操作部の前記押下部は、消毒容器のノズルを前方向に案内する前ガイド部と、左右方向にそれぞれ案内する左ガイド部及び右ガイド部と、を有する、請求項１〜４のいずれか１項に記載の足踏み式消毒装置。
【考案の詳細な説明】
【技術分野】
【０００１】
本考案は、足踏み式消毒装置に関する。
【背景技術】
【０００２】
従来、ペダルを足で踏むことにより消毒容器のポンプヘッドを押してノズルから消毒液を吐出する足踏み式消毒装置が提案されている。例えば、特許文献１には、ペダルの踏み込み力を運動伝達部材であるワイヤを介してヘッド操作部材に伝達して消毒容器のポンプヘッドを押すように構成された足踏み式消毒装置が開示されている。
【先行技術文献】
【特許文献】
【０００３】
【特許文献１】特開２０１２−９０７２１号公報
【考案の概要】
【考案が解決しようとする課題】
【０００４】
しかしながら、ワイヤ等の部材を用いた従来の足踏み式消毒装置は、構造が複雑であった。また、動作のためにペダルの踏み込み力がある程度必要であり、操作性が必ずしも良いとは言えなかった。また、繰り返しの動作により、ワイヤ等の部材が劣化して耐久性に問題があった。
【０００５】
本考案は、簡易な構成で、操作性・耐久性に優れた足踏み式消毒装置を提供する。
【課題を解決するための手段】
【０００６】
本考案の足踏み式消毒装置は、上下方向に延びる軸部と、軸部の下端部に連結されたペダルと、ペダルが取り付けられたベースと、ポンプヘッドを押下してノズルから消毒液を吐出する消毒容器を載置する載置部と、軸部の上端部に連結され、載置部に載置された消毒容器のポンプヘッドを押下する押下部を有する操作部と、を備えている。ベースには、ペダルを回動可能に支持するペダル回転軸部と、ペダルの回動を規制する規制部と、が設けられている。
【０００７】
足踏み式消毒装置は、定常位置にあるペダルの前端部を踏み込むことにより、ペダルの前端部が下方に回動すると共にペダルの後端部が上方に回動し、ペダルの後端部に連結された軸部が上方に移動し、操作部の押下部が消毒容器のポンプヘッドを押下するよう構成されている。また、ペダルの前端部への踏み込みを解除することにより、軸部が自重によって下方に移動し、ペダルの後端部が下方へ回動してベースの規制部に当接することでペダルが定常位置に戻るよう構成されている。
【０００８】
上記足踏み式消毒装置によれば、簡易な構成で、ペダルと軸部と操作部とを連動させることができる。また、ペダルの前端部を踏み込むことにより、操作部の押下部が消毒容器のポンプヘッドを押下し、ペダルの前端部への踏み込みを解除することにより、軸部の自重によってペダルが定常位置に戻る。そのため、操作性に優れていると共に、ペダルを定常位置に復帰させるスプリング等の部材が不要であり、繰り返し動作に対する耐久性に優れている。また、動作のための電源等も不要であり、実用性にも優れている。
【０００９】
上記足踏み式消毒装置において、ペダルは、定常位置において、ペダルの前端部がペダルの後端部よりも上方に位置するように、水平方向に対して傾斜して配置されていてもよい。この場合には、ペダルの前端部への踏み込み動作が容易となり、踏み込みによってペダルの前端部に荷重を掛けやすくなる。
【００１０】
また、ペダルは、本体板部と、本体板部の前端から下方に延びる前板部と、を有し、ベースは、前板部の前面を覆う前壁部を有し、定常位置におけるペダルの前板部の下端位置は、ベースの前壁部の上端位置よりも下方にあってもよい。この場合には、ペダルの下やペダルとベースとの間に足の指等を挟まないようにすることができる。
【００１１】
また、操作部は、操作回転軸部に回動可能に支持され、軸部が上方に移動することにより、軸部が連結された操作部の後端部が上方に回動すると共に操作部の前端部が下方に回動し、操作部の前端部に設けられた押下部が消毒容器のポンプヘッドを押下するよう構成されていてもよい。この場合には、簡易な構成で操作性に優れた操作部によって消毒容器のポンプヘッドを押下し、ノズルから消毒液を吐出することができる。
【００１２】
また、操作部の押下部は、消毒容器のノズルを前方向に案内する前ガイド部と、左右方向にそれぞれ案内する左ガイド部及び右ガイド部と、を有していてもよい。この場合には、消毒液を前方だけではなく、左右方向（横方向）にも吐出するように設定できる。これにより、ノズルから吐出した消毒液が操作した人の衣服等にかからないようにすることができる。
【図面の簡単な説明】
【００１３】
【図１】第１実施形態の足踏み式消毒装置全体を示す斜視図である。
【図２】第１実施形態の足踏み式消毒装置の下部を示す断面図である。
【図３】第１実施形態の足踏み式消毒装置のペダルを示す平面図である。
【図４】第１実施形態の足踏み式消毒装置の上部を示す側面図である。
【図５】第１実施形態の足踏み式消毒装置の操作部を示す平面図である。
【図６】第１実施形態の足踏み式消毒装置の下部を示す断面図である。
【図７】第１実施形態の足踏み式消毒装置の上部を示す側面図である。
【図８】（Ａ）及び（Ｂ）は第２実施形態の足踏み式消毒装置の下部を示す断面図である。
【考案を実施するための形態】
【００１４】
以下、本考案の実施形態を図面と共に説明する。
（第１実施形態）
図１に示すように、本実施形態の足踏み式消毒装置１は、ステンレス製であり、ベース２と、ベース２に取り付けられたペダル３とを備えている。ベース２は、四角形状の開口部が形成された足部２１を有する。足部２１の開口部には、ペダル３が配置されている。
【００１５】
図２、図３に示すように、ペダル３は、四角形板状の本体板部３１と、本体板部３１の前端から下方に延びる前板部３２と、本体板部３１の左右端からそれぞれ下方に延びる左板部３３及び右板部３４とを有する。本体板部３１には、複数の貫通孔３１１が設けられている。複数の貫通孔３１１により、ペダル３の軽量化を図ることができる。本体板部３１の後端部中央には、切欠部３１２が設けられている。本体板部３１の後端部下側には、左右方向に延びる丸棒状の連結部材３５が設けられている。連結部材３５の左右端部は、ペダル３の左板部３３の後端部及び右板部３４の後端部に貫通して固定されている。
【００１６】
ベース２における足部２１の開口部の前側周縁部には、ペダル３の前板部３２の前面を覆う前壁部２２が設けられている。足部２１の開口部の左右側周縁部には、ペダル３の左板部３３及び右板部３４を外側から覆う左壁部２３及び右壁部２４が設けられている。本体板部３１の前後方向の中間部下側には、ペダル３の左板部３３及び右板部３４を貫通して左右方向に延びる丸棒状のペダル回転軸部２５が設けられている。ペダル回転軸部２５の左右端部は、ベース２の左壁部２３及び右壁部２４に貫通して固定されている。ペダル回転軸部２５は、ペダル回転軸部２５を回転軸としてペダル３を回動可能に支持する。
【００１７】
ベース２には、ペダル３におけるペダル回転軸部２５よりも後側部分を覆うペダルカバー２６が設けられている。ペダルカバー２６の前面部２６１は、ペダル回転軸部２５の直上の位置に配置されている。ペダル３を回動させた際に、回転軸となるペダル回転軸部２５の位置では、ペダル３がほとんど上下しない。そのため、ペダル３とペダルカバー２６の前面部２６１との隙間を小さく維持し、足の指等を挟まないようにすることができる。また、ベース２には、左右方向に延びる板状のストッパー（規制部）２７が設けられている。ストッパー２７は、ペダル３の後端部下側に配置されている。ストッパー２７の左右両端部は、ベース２の左壁部２３及び右壁部２４に固定されている。
【００１８】
ペダル３は、定常位置において、ペダル３の前端部がペダル３の後端部よりも上方に位置するように、水平方向に対して傾斜して配置されている。ペダル３の前板部３１の下端位置は、ベース２の前壁部２２の上端位置Ａよりも下方にある。ペダル３の後端部は、ペダル３の回動を規制するようにストッパー２７に当接した状態である。
【００１９】
ペダル３の連結部材３５の中央部には、上下方向に延びる丸棒状のシャフト（軸部）４１の下端部が連結されている。シャフト４１は、本体板部３１の切欠部３１２内に配置されている。シャフト４１の周囲には、シャフト４１を覆う断面四角形で筒状のガイド４２が設けられている。ガイド４２の下端部は、ペダルカバー２６に固定されている。
【００２０】
図４、図５に示すように、ガイド４２には、断面四角形で筒状のスリーブ４３が設けられている。スリーブ４３は、ガイド４２に外嵌されている。スリーブ４３は、ネジ部材４４によってガイド４２の上下方向の所定の位置に固定することができる。スリーブ４３には、載置部５が取り付けられている。載置部５は、載置面部５１と固定片部５２とを有する。固定片部５２は、ネジ部材４４によってスリーブ４３に固定されている。
【００２１】
シャフト４１の上端部には、操作部６が連結されている。具体的には、操作部６は、本体部６１と、本体部６１から前方に延設された延設部６２とを有する。本体部６１は、上面部６１１と、上面部６１１の左右両端から下方に延びる左側面部６１２及び右側面部６１３とを有する。操作部６の後端部である本体部６１の後端部下側には、左右方向に延びる丸棒状の連結部材６３が設けられている。連結部材６３の左右端部は、本体部６１の左側面部６１２の後端部及び右側面部６１３の後端部に貫通して固定されている。連結部材６３の中央部には、シャフト４１の上端部が連結されている。
【００２２】
操作部６の前端部である延設部６２の先端部には、消毒容器８のポンプヘッド８１を押下する板状の押下部６４が設けられている。押下部６４は、消毒容器８のノズル８２を前方向に案内する前ガイド部６４１と、左右方向にそれぞれ案内する左ガイド部６４２及び右ガイド部６４３とを有する。前ガイド部６４１は、押下部６４の前端から下方に延びる２つの爪部を有する。この２つの爪部の間に消毒容器８のノズル８２を配置し、ノズル８２を前方向に案内する。左ガイド部６４２及び右ガイド部６４３も前ガイド部６４１と同様の構成である。操作部６は、定常位置において、水平方向に沿って配置されている。
【００２３】
操作部６の周囲には、操作部６の左側面、右側面、上面及び後面を覆う操作カバー７が設けられている。操作カバー７は、ガイド４２の上端部に固定されている。操作カバー７は、操作部６の本体部６１の左側面部６１２の内側及び右側面部６１３の内側に配置された左側面片部７１及び右側面片部７２を有する。本体部６１の左側面部６１２及び右側面部６１３は、貫通して左右方向に延びる丸棒状の操作回転軸部７３によって、操作カバー７の左側面片部７１及び右側面片部７２に支持されている。操作回転軸部７３は、操作回転軸部７３を回転軸として操作部６を回動可能に支持する。
【００２４】
図６に示すように、定常位置のペダル３の前端部を足で踏み込んで荷重をかけることにより、ペダル３の前端部が下方に回動すると共にペダル３の後端部が上方に回動する。ペダル３の後端部が上方に回動すると、ペダル３の後端部に連結されたシャフト４１が上方に移動する。
【００２５】
図７に示すように、シャフト４１が上方に移動すると、シャフト４１が連結された操作部６（本体部６１）の後端部が上方に回動すると共に操作部６の前端部（延設部６２）が下方に回動する。これにより、操作部６の押下部６４が下方に移動して消毒容器８のポンプヘッド８１を押下し、ノズル８２から消毒液を吐出する。
【００２６】
一方、ペダル３の前端部への足の踏み込みを解除することにより、シャフト４１が自重によって自然に下方に移動する。これにより、ペダル３の後端部が下方に回動してベース２のストッパー２７に当接し、ペダル３が定常位置（図２の位置）に戻る。また、シャフト４１が自重によって自然に下方に移動することにより、操作部６（本体部６１）の後端部が下方に回動すると共に操作部６の前端部（延設部６２）が上方に回動し、操作部６が定常位置（図４の位置）に戻る。
【００２７】
次に、本実施形態の足踏み式消毒装置１における作用効果について説明する。
本実施形態の足踏み式消毒装置１によれば、簡易な構成で、ペダル３とシャフト４１と操作部６とを連動させることができる。また、ペダル３の前端部を踏み込むことにより、操作部６の押下部６４が消毒容器８のポンプヘッド８１を押下し、ペダル３の前端部への踏み込みを解除することにより、シャフト４１の自重によってペダル３が定常位置に戻る。そのため、操作性に優れていると共に、ペダル３を定常位置に復帰させるスプリング等の部材が不要であり、繰り返し動作に対する耐久性に優れている。また、動作のための電源等も不要であり、実用性にも優れている。
【００２８】
本実施形態の足踏み式消毒装置１において、ペダル３は、定常位置において、ペダル３の前端部がペダル３の後端部よりも上方に位置するように、水平方向に対して傾斜して配置されている。そのため、ペダル３の前端部への踏み込み動作が容易となり、踏み込みによってペダル３の前端部に荷重を掛けやすくなる。
【００２９】
また、ペダル３は、本体板部３１と、本体板部３１の前端から下方に延びる前板部３２と、を有し、ベース２は、前板部３２の前面を覆う前壁部２２を有し、定常位置におけるペダル３の前板部３２の下端位置は、ベース２の前壁部２２の上端位置Ａよりも下方にある。そのため、ペダル３の下やペダル３とベース２との間に足の指等を挟まないようにすることができる。
【００３０】
また、操作部６は、操作回転軸部７３に回動可能に支持され、シャフト４１が上方に移動することにより、シャフト４１が連結された操作部６の後端部が上方に回動すると共に操作部６の前端部が下方に回動し、操作部６の前端部に設けられた押下部６４が消毒容器８のポンプヘッド８１を押下するよう構成されている。そのため、簡易な構成で操作性に優れた操作部６によって消毒容器８のポンプヘッド８１を押下し、ノズル８２から消毒液を吐出することができる。
【００３１】
また、操作部６の押下部６４は、消毒容器８のノズル８２を前方向に案内する前ガイド部６４１と、左右方向にそれぞれ案内する左ガイド部６４２及び右ガイド部６４３と、を有する。そのため、消毒液を前方だけではなく、左右方向（横方向）にも吐出するように設定できる。これにより、ノズル８２から吐出した消毒液が操作した人の衣服等にかからないようにすることができる。
【００３２】
（第２実施形態）
本実施形態は、図８（Ａ）、（Ｂ）に示すように、足踏み式消毒装置１において、ベース２及びペダル３の構成を変更した例である。なお、第１実施形態と同様の構成及び作用効果については説明を省略する。
【００３３】
図８（Ａ）に示すように、ベース２の前壁部２２の高さを少し高くしている。逆に、ペダル３の前板部３２の高さを少し低くしている。ただし、ペダル３の前板部３１の下端位置は、ベース２の前壁部２２の上端位置Ａよりも下方にある。
【００３４】
図８（Ｂ）に示すように、定常位置のペダル３の前端部を足で踏み込んで荷重をかけることにより、ペダル３の前端部が下方に回動すると共にペダル３の後端部が上方に回動する。ベース２の前壁部２２の高さを高くしたことにより、踏み代を小さくすることができる。また、操作部６の押下部６４による消毒容器８のポンプヘッド８１の押下量を小さくし、ノズル８２からの消毒液の吐出量を少なくすることができる。これにより、例えば、子供用として適用できる。
【００３５】
（その他の実施形態）
本考案は、上記実施形態に何ら限定されるものではなく、本考案を逸脱しない範囲において種々の態様で実施しうることはいうまでもない。例えば、上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、実用新案登録請求の範囲に記載の文言から特定される技術思想に含まれるあらゆる態様が本考案の実施形態である。
【符号の説明】
【００３６】
１…足踏み式消毒装置、２…ベース、３…ペダル、５…載置部、６…操作部、８…消毒容器、２５…ペダル回転軸部、２７…ストッパー（規制部）、４１…シャフト（軸部）、６４…押下部、８１…ポンプヘッド、８２…ノズル
【図１】
0003228107.tif 000003
【図２】
0003228107.tif 000004
【図３】
0003228107.tif 000005
【図４】
0003228107.tif 000006
【図５】
0003228107.tif 000007
【図６】
0003228107.tif 000008
【図７】
0003228107.tif 000009
【図８】
0003228107.tif 000010